(57)【要約】【課題】車椅子を使用している人でキャッチボールをしてみたいと思っている人は多くいると思う。そう思う人の何人かが、もしボールを落とせばボールをひらうのが難しいと思い実行に移せず諦めている人がいると思う。こうした思いの人達のためにアームレストに柄付補助グローブを置いた車椅子を提供する。【解決手段】補助グローブの柄（１）の下部にマジックテープ又は磁石のような接着および外れるもの（物質）を取り付ける、又アームレスト（２１）にマジックテープ（１７）又は磁石を取り付ける基板（１８）の両端をバンド（１９）その端マジックテープ（２０）で固定する。これでボールを拾う時のみ補助グローブの柄（１，２）を掴み外してボールを掴み本グローブに納める。その後は補助グローブをアームレスト（２１）に置けばよい、こうした行動によりストレス解消になり、又機能快復させることを特徴とする。【選択図】図１
2020096774.tif 000002
【特許請求の範囲】
【請求項１】
柄付補助グローブをアームレストに定着させた車椅子
【発明の詳細な説明】
【技術分野】
【０００１】車椅子のアームレストにマジックテープ又は磁石のような接着また離れの可能なものを基板の上面に取り付け、ベルトで固定する、又補助グローブの柄の底面にマジックテープ又は磁石を取り付ける、これで補助グローブがアームレストの上に納まり落ちない仕組みである。
【背景技術】
【０００２】従来野球専用車椅子はあるが一般の車椅子を使用している人で一度キャッチボールをしたいと興味半分で買入するには経済的に無理がある。
【先行技術文献】
【特許文献】
【０００３】
【特許文献１】
【発明の概要】
【発明が解決しようとする課題】
【０００４】現在野球をするための車椅子があり車体が低く車輪は地面に向って広く安全に作られて選手達が動き易く作られている。ゆえに専門的で興味又楽しみでキャッチボールをする程度では不必要である。
【課題を解決するための手段】
【０００５】ある程度の長さ例えば３０ｃｍの柄（１）の一端部手前３ｃｍ近辺にある程度の角度を上にあげた（５）の部分に手のひら代りのものを真ん中で（３，４）に切り離し、柄（５）の部分に手のひら（３，４）のうち（３）の部分を丁番（１３）の一部分をかすめ鋲（１４）で取り付ける、又柄（１）の反対側の一端近くに穴を空け、又短い柄（２）の一端にも穴を空けその両方の穴に芯棒（７）を通し止めて連結させる、又その芯棒（７）を抱くようにバネ（８）を納める仕組にして柄（１）と短い柄（２）はいつも開いているようにしている。なお短い柄（２）の一端の上面に連結棒（６）の一端を受ける基板（９）を取り付ける、又手のひら代わりのうち（４）の部分の上面に連結棒（６）のもう一端を受ける基板（１０）を取り付ける、これで連結棒（６）を芯棒（１１，１２）で止める。これは落としたボールを掴み易くするためである、例えば今ボールを掴もうとするとき柄（１）と柄（２）はバネ（８）によりいつも開いているがこれを握り絞めると連結棒（６）を通じ手のひら代わり（４）が開く仕組み又柄（１）の中央部の下面にマジックテープ、又は磁石のような接着および外れの可能なもの（１６）を取り付ける。なお車椅子のアームレスト（２１）にもマジックテープ又は磁石（１７）どちらかを取り付ける基板（１８）をバンド（１９）とマジックテープ（２０）で固定する。これで補助グローブが必要でないときはアームレストに定着、よって車椅子のハンドリム（２２）を自由に回わせ車椅子を動かすことが可能である。
本発明は以上の構成によりなる車椅子でキャッチボールをするためのアームレストに補助グローブを定着させた車椅子に関するものである。
【発明の効果】
【０００６】車椅子のアームレストに補助グローブを定着させた構成により、その結果、落したボールのところに車椅子を自由に動かし柄付き補助グローブをアームレストから外し、身体をあまり曲げずにボールを掴み取ることができ、柄付き補助グローブをアームレストに定着させ、車椅子を元の位置に戻ることにより相手の人に迷惑かけずにキャッチボールができる。
【図面の簡単な説明】
【０００７】
【図１】補助グローブの正面図である。
【図２】補助グローブの平面図である。
【図３】補助グローブの底面図である。
【図４】補助グローブの左側面図である。
【図５】補助グローブの右側面図である。
【図６】車椅子のアームレストに取り付ける基板の正面図である。
【図７】アームレストに取り付ける基板の右側面図である。
【図８】アームレストに取り付ける基板の平面図である。
【図９】アームレストに取り付ける基板の底面図である。
【図１０】アームレストに補助グローブを定着させたところの車椅子の斜視図である。
【発明を実施するための形態】
【０００８】以下本発明を実施するための形態について説明する。
柄（１）の一端にボールを掴むための手のひら代り（３，４）になるもの例えば（プラスチックス）を設け、その掌を半分に切り一端（３）の部分を柄（１）の一端部分（５）にかすめ鋲（１５）で固定、又たその掌（３）と、もう一方の掌（４）と丁番（１３）をかすめ鋲（１４）でつなぐ、又その掌（４）の上部に連結棒（６）を受けるための凹字型の基板（１０）を固定する、又柄（１）のもう一方の端の近辺に短い柄（２）を設け、その一端に穴を空け柄（１）と柄（２）をとめ芯（７）で定着さす、なおそのとめ芯（７）にバネ（８）を抱くようにして巻かし固定する、これは柄（１）を柄（２）が必要以外はいつも開いているように仕組まれている、又柄（２）の一端の上面に連結棒（６）を受けるための凹字型の基板（１０）を固定する、これはボールを掴むときに柄（１）と柄（２）を強く握ると柄（１）と柄（２）との間隔が狭くなるように動く、このとき柄（２）に固定している基板（９）と連結棒（６）が右に動く、このため反対側の基板（１０）も動き固定している手のひら代り（４）が外側に動き手のひらが開く、ゆえにボールを掴み易く、又握る力をゆるめるとバネの反発力により手のひら（３，４）が狭くなりボールが落ちない仕組み。
今から車椅子でキャッチボールを初めようとするときまず、アームレスト（２１）上面にマジックテープを装着させる基板（１８）をバンド（１９）とその端のマジックテープ（２０）で止める。その上に補助グローブの柄（１）の下面装着したマジックテープ（１６）を下にして置くとアームレスト（２１）に納める、利き手の反対側の手に本グローブをはめる、これでキャッチボールを初め、何度か投、受するうちボールを落し転げ離れていく、ここでまず本グローブを外し膝に置く、両手でハンドリム（２２）を回しボールに近ずき柄付補助グローブの柄（１，２）を握りアームレスト（２１）から取り外しボールを掴む、そのボールを先にはめた本グローブに戻す、又膝に置き利き手で握っている補助グローブをアームレスト（２１）に装着さす、これでハンドリム（２２）を回し元の位置に戻りキャッチボールを初めることにより相手の人にあまり迷惑をかけずに楽しめる。又車椅子の人ともキャッチボールで楽しむことができる。
【符号の説明】
【０００９】１    基軸になる柄
２    握るための柄
３    手の掌代りの半分
４    手の掌代りの半分
５    基軸の一端の角度を作るための柄
６    連結棒
７    握るための柄の一端をとめる芯
８    柄（１，２）をいつも開いているためのバネ
９    連結棒（６）の一端を受ける基礎
１０  連結棒（６）のもう一端を受ける基礎
１１  連結棒（６）の一端をとめる芯
１２  連結棒（６）のもう一端をとめる芯
１３  手のひら代わりの（３，４）をつなぐ丁番
１４  手のひら代わりの（３，４）を丁番と固定するかすめ鋲
１５  丁番の一辺と手のひら代わりの（３）の一辺と柄（５）を固定するかすめ鋲
１６  マジックテープか磁石
１７  アームレストに固定するマジックテープか磁石
１８  マジックテープか磁石を上部に固定した基盤
１９  基盤をアームレストに固定するためのバンド
２０  バンドを固定するためのマジックテープ
２１  車椅子のアームレスト
２２  車椅子のハンドリム
【図１】
2020096774.tif 000003
【図２】
2020096774.tif 000004
【図３】
2020096774.tif 000005
【図４】
2020096774.tif 000006
【図５】
2020096774.tif 000007
【図６】
2020096774.tif 000008
【図７】
2020096774.tif 000009
【図８】
2020096774.tif 000010
【図９】
2020096774.tif 000011
【図１０】
2020096774.tif 000012